(57)【要約】  【課題】    インターバル撮影において被写体に応じて適切な撮影を行うことができる撮影装置を提供する。  【解決手段】  例えば檻の中の動物のように動き回る被写体を所定時間間隔で自動的に撮影するような場合、合焦位置はその都度更新することが望ましいため、インターバル撮影モードにおいて合焦モードを選択し、一方、植物のように静止した被写体を所定時間間隔で自動的に撮影するような場合、合焦位置は固定することが望ましいため、インターバル撮影モードにおいて固定焦点モードを選択すれば、省エネを図りつつも、いずれの被写体に対しても適切に撮影を行うことができる。【選択図】    図４
2006332746.tif 000002
【特許請求の範囲】
【請求項１】
レリーズ操作によらず予め定められた所定時間間隔ごとに繰り返し撮影を行うインターバル撮影モードを設定可能な撮影装置において、
前記インターバル撮影モードにおいて、前記撮影ごとに合焦動作を行いながら撮影を行う第１の撮影動作と、予め決定された合焦位置で撮影を行う第２の撮影動作のいずれかを選択可能となっていることを特徴とする撮影装置。
【請求項２】
新たに前記インターバル撮影モードを設定した時点では、前記第１の撮影動作が選択されていることを特徴とする請求項１に記載の撮影装置。
【請求項３】
前記インターバル撮影モードの設定に際して、前記撮影パラメータを取得するための撮影を行うことを特徴とする請求項１又は２に記載の撮影装置。
【請求項４】
前記インターバル撮影モードが設定された時は、撮影間にメインの制御回路への電力供給を中断することを特徴とする請求項１〜３のいずれかに記載の撮影装置。
【発明の詳細な説明】
【技術分野】
【０００１】
本発明は、インターバル撮影モードを設定可能な撮影装置に関する。
【背景技術】
【０００２】
例えばカメラなどの撮影装置においては、一般的には、撮影者が意図したシャッタチャンスでレリーズ操作することによって、所望の被写体を撮影できるようになっている。これに対し、撮影者の意図に関わらず、所定時間間隔で撮影を自動的に行うインターバル撮影モードを設定可能なカメラが知られている（特許文献１、２参照）。かかるカメラを用いれば、例えば植物の生育の状況などを観察するための撮影を行うことができる。
【特許文献１】特公平７−４０１１２号公報
【特許文献２】特開２００３−３２４６５１号公報
【発明の開示】
【発明が解決しようとする課題】
【０００３】
ここで、特許文献１のカメラにおいては、インターバル撮影制御開始後に、近距離ロックがある場合には最至近距離にレンズ停止位置を修正することで撮影を行うようになっている。しかしながら、かかるカメラによれば、主要被写体の位置によっては焦点ぼけが発生する恐れがあり、必ずしも最適な撮影ができるとは言い難い。
【０００４】
一方、特許文献２のカメラにおいては、インターバル撮影動作が行われている間、撮影ごとに被写体輝度と被写体距離とを求めて、それに応じて露出動作と合焦動作とを行っている。しかしながら、かかるカメラによれば、撮影ごとにＡＥ／ＡＦを行うので、位置が固定された被写体に対しても毎回合焦動作を行うため、省エネが図れないという問題がある。又、植物をインターバル撮影しているときなどにおいて、測距範囲に昆虫や野鳥などが侵入してきたような場合、ＡＦを行うことで昆虫や野鳥などにピントが合ってしまい、撮影すべき被写体である植物にピントが合わなくなる恐れもある。
【０００５】
本発明は、これらの課題に鑑みてなされたものであり、インターバル撮影において被写体に応じて適切な撮影を行うことができる撮影装置を提供することを目的とする。
【課題を解決するための手段】
【０００６】
本発明の撮影装置は、レリーズ操作によらず予め定められた所定時間間隔ごとに繰り返し撮影を行うインターバル撮影モードを設定可能な撮影装置において、
前記インターバル撮影モードにおいて、前記撮影ごとに合焦動作を行いながら撮影を行う第１の撮影動作と、予め決定された合焦位置で撮影を行う第２の撮影動作のいずれかを選択可能となっていることを特徴とする。
【発明の効果】
【０００７】
本発明の撮影装置によれば、前記インターバル撮影モードにおいて、撮影パラメータを前記撮影ごとに更新しながら撮影を行う第１の撮影動作と、前記撮影パラメータを固定して撮影を行う第２の撮影動作のいずれかを選択可能となっているので、例えば屋外の自然光下で植物を所定時間間隔で撮影するような場合、撮影パラメータはその都度更新することが望ましいため、前記第１の撮影動作を選択し、一方、室内でライトを当てながら植物を所定時間間隔で撮影するような場合、撮影パラメータは固定することが望ましいため、前記第２の撮影動作を選択すれば、省エネを図りつつも、いずれの被写体に対しても適切に撮影を行うことができる。
【０００８】
新たに前記インターバル撮影モードを設定した時点では、前記第１の撮影動作が選択されていると、前記第２の撮影動作を所望する場合にのみ撮影者が特定の操作を行えばよいので便利である。
【０００９】
前記インターバル撮影モードの設定に際して、前記撮影パラメータを取得するための撮影を行うと、最適な撮影パラメータを決定できるので好ましい。
【００１０】
前記インターバル撮影モードが設定された時は、撮影間にメインの制御回路への電力供給を中断すると、省エネが図れるので好ましい。
【発明を実施するための最良の形態】
【００１１】
以下、本発明の実施の形態を図面を用いて説明する。図１は、本発明に係る撮影装置の一例である電子カメラを示す外観図であり、図１（ａ）はカメラを前面から見た図、図１（ｂ）はカメラ背面図である。
【００１２】
図１（ａ）において、８１は撮影レンズであり内部に屈曲光学系を備えたズーム光学系である。８２はメインスイッチ、８３はレリーズ釦、８４はフラッシュ発光部、８６はフラッシュ反射光受光用センサ窓である。
【００１３】
レリーズ釦８３はその１段の押し込み（Ｓ１）によりカメラの撮影準備動作、即ち焦点合わせ動作や測光動作が行われ、その２段の押し込み（Ｓ２）により撮影露光動作が行われる。
【００１４】
更に、図１（ｂ）において、９３はズーム釦であり、ズームアップ、ズームダウンをおこなう釦である。９５はメニュー釦、９６は選択釦で４方向スイッチであり、９７はセット釦である。１００は画像表示部であり、ＬＣＤ、有機ＥＬ等の画像表示装置で画像やその他文字情報等を表示する。
【００１５】
メニュー釦９５で、画像表示部１００上に各種のメニューを表示させ、選択釦９６の４方向スイッチにより選択し、セット釦９７で確定させる機能を有している。９８はメインダイヤルであり、回転させることで、静止画撮影モード、動画撮影モード、再生モード、セットアップモード等を選択できる。
【００１６】
９９はフラッシュモード選択釦であり、低輝度下では自動的にフラッシュ発光するオートモード、発光禁止モード等のモードが選択できる。
【００１７】
なお、図示しないが底面には、三脚穴、電池／カード蓋が配置され、電池／カード蓋の内部には、本カメラの電源を供給する電池と、撮影した画像を記録するカード用のスロットが備えられており、画像を記録するカード型の記録用メモリが挿脱可能になっている。また、側面には外部入出力端子、オーディオ・ビデオ出力端子等が配置されている。
【００１８】
図２は、本実施の形態に係る電子カメラの内部構成の一例を示す概略ブロック図である。なお、本発明は、撮像素子としてＣＣＤ（Ｃｈａｒｇｅ  Ｃｏｕｐｌｅｄ  Ｄｅｖｉｃｅ）型イメージセンサ、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等が適用可能であるが、本例においては、撮像素子としてＣＣＤ型イメージセンサを用いたもので説明する。
【００１９】
同図において、４０は各部を制御する制御部（以下、ＣＰＵとも称す）である。撮像レンズ８１は、レンズ部１、絞りシャッターユニット２、赤外光カットフィルタとオプチカルローパスフィルタを積層した光学フィルタ３、第１モータ４、第２モータ５及び絞りシャッタアクチュエータ６で構成されている。
【００２０】
レンズ部１は、より詳しくは複数のレンズを有するレンズ系として構成されており、これら複数のレンズの光軸上の位置を第１モータ４を駆動することにより移動させ、変倍がおこなわれるようになっている。また、これら複数のレンズの内、フォーカシングに用いられるレンズは、第２モータ５により駆動され焦点調節がおこなわれる。更に、絞りシャッターユニットは絞りシャッタアクチュエータ６により開閉し、露光量の調定がなされる。この、第１モータ４、第２モータ５、絞りシャッタアクチュエータ６は、それぞれＣＰＵ４０からの制御信号により制御される第１モータ駆動回路７、第２モータ駆動回路８、絞りシャッタ駆動回路９を介して駆動される。
【００２１】
タイミングジェネレータ１０は、タイミング制御回路１１から送られるクロックに基づきＣＣＤ１２の駆動制御信号を生成するものであり、例えばＣＣＤ１２の電荷の蓄積開始と終了のタイミング信号、各画素の電荷蓄積量の読み出し制御信号（水平同期信号、垂直同期信号、転送信号）等のクロック信号を生成しＣＣＤ１２へ出力する。撮像回路１３は、ＣＣＤ１２により被写体光が光電変換され、例えば原色系のフィルタが用いられたＣＣＤの場合、Ｒ（赤）、Ｇ（緑）、Ｂ（青）の各色成分の画像アナログ信号を信号処理部１４へ出力する。
【００２２】
信号処理部１４は、撮像回路１３から出力された画像アナログ信号に信号処理を施すものである。信号処理部１４においては、相関二重サンプリング（ＣＤＳ）、オートゲインコントロール（ＡＧＣ）により画像アナログ信号のノイズ低減とゲイン調整をおこないＡ／Ｄ変換部１５へ出力する。
【００２３】
Ａ／Ｄ変換部１５では、タイミング制御回路１１からのＡ／Ｄ変換用クロックに基づき、入力された画像アナログ信号をＡ／Ｄ変換し、デジタル信号（以下、画素データと称す）に変換する。次いで、画素データをバッファメモリ１６に格納した後、ＣＰＵ４０に画素データを送り、ＣＰＵ４０では画素データの黒レベル補正をおこなった後、ホワイトバランス（ＷＢ）の調整、γ補正、ＹＣｂＣｒ変換が行われる。
【００２４】
ＶＲＡＭ１７は、画像表示部１００で表示する画像のバッファメモリであり、少なくとも画像表示部１００の画素数と表示に必要なビット数の積算値以上の記憶容量を有している。画像表示部１００には、例えばＬＣＤ、有機ＥＬ等の表示装置が用いられる。なお、使用される表示装置に応じ、ＶＲＡＭ１７と画像表示部１００の間に、画素データをＤ／Ａ変換するＤ／Ａ変換部が設けられる。
【００２５】
これにより、撮影時のフレーミング時には、所定時間間隔で撮像された画素データがバッファメモリ１６に記憶されると共に、ＶＲＡＭ１７へ転送され、画像表示部１００に表示がおこなわれ、被写体像を確認することができ、ファインダとして使用できる（スルー画像表示又はプレビュー画像表示と称す）ようになっている。
【００２６】
また、挿脱可能な画像記録用メモリカード５０に記録された撮影済みの画像は、圧縮伸張回路４９へ転送され、ＣＰＵ４０で所定の信号処理後にＶＲＡＭ１７へ転送され、画像表示部１００に表示がおこなわれ、再生が可能となっている。
【００２７】
インターフェイス３２は、外部のパーソナルコンピュータ或いはプリンタ等と信号の授受をおこなうもので、外部入出力端子（例えばＵＳＢ端子）８８を介して、外部のパーソナルコンピュータ或いはプリンタ等と通信を行うものである。
【００２８】
フラッシュ制御回路２１は、フラッシュ発光部８４の発光を制御する回路である。フラッシュ制御回路２１は、ＣＰＵ４０により制御され、フラッシュ発光の有無、発光タイミング、発光用コンデンサへの充電等を制御すると共に、フラッシュ反射光受光用センサ２３に接続された受光回路２４から入力される発光停止信号に基づき発光を停止させるようになっている。
【００２９】
時計回路２５は、クロックを内蔵しており、各部へ電源を供給する給電回路２７から電源供給を受けて作動するようにしてもよいが、図示しない別電源で作動させることが望ましい。
【００３０】
ＣＰＵ４０及び各部への電力供給は給電回路２７によっておこなわれる。この給電回路２７には、電池２６或いは、ＤＣ入力端子２８を介しＡ／Ｃアダプタ２９から電力が供給される。
【００３１】
操作スイッチ群（以下操作ＳＷ群とも称す）３０は、例えばメインスイッチ、メインダイアル、レリーズ釦、ズーム釦、フラッシュモード選択釦、メニュー釦、セット釦、選択釦等の各種操作釦によりＯＮ／ＯＦＦするスイッチ群である。この操作ＳＷ群３０のＯＮ／ＯＦＦの信号は、ＣＰＵ４０に送られ、ＣＰＵ４０はＯＮされた操作ＳＷに応じて各部の動作を制御することになる。
【００３２】
ＥＥＰＲＯＭ３１は、不揮発性のメモリであり、カメラの個々に異なる特性値を記憶させておくために用いられる。この個々に異なる特性値とは、例えば撮像レンズ８１の各焦点距離におけるフォーカシングレンズの無限位置の情報等であり、製造工程内で書き込まれるものである。この、カメラ個々に異なる特性値を、ＣＰＵ４０は必要に応じＥＥＰＲＯＭ３１から読み出し、各部の制御に利用するようになっている。
【００３３】
なお、ＣＰＵ４０は、ＲＯＭ２０に格納されたソフトウェアに基づき、データの授受、各部のタイミング制御をおこなうのみならず、その他種々の機能をおこなうものとなっている。例えば、バッファメモリ１６から得られた画素データに基づき、被写体輝度を取得し、撮像素子の露光感度の設定、撮影時の絞り値とシャッタ速度の露光条件の決定（ＡＥ準備動作）、フォーカシングレンズを小刻みに移動させ、それぞれで得られた画素データから画像データを生成し、この画像データに基づいて評価をおこない最適なフォーカシングレンズ位置の決定（合焦動作）制御、等を有するものである。
【００３４】
なお、ＣＰＵ４０は、メインＣＰＵ（メインの制御回路ともいう）とサブＣＰＵとからなり、後述するインターバル撮影モードが設定された場合には、メインＣＰＵへの電力供給を停止させ、電力消費の少ないサブＣＰＵのみに電力供給が続行されて、いわゆるスリープモードに入る。スリープモード実行中に、サブＣＰＵは、時計回路２５からの出力されるクロック信号をもとに、予め設定されている所定時間の経過を検出し、その後、サブＣＰＵから出力される信号により、メインＣＰＵが起動し、インターバル撮影を行うことができる。
【００３５】
図３は、本実施の形態に係る電子カメラで使用される各モードへの移行動作を示すフローチャートである。以下、同図に示すフローに従い説明する。
【００３６】
同図に示すように、メインスイッチ８２がＯＮされる（ステップＳ１０１）と、ＣＰＵ４０は、メインダイヤル９８が、いずれの位置にセットされているかを確認する。
【００３７】
ここで、ＣＰＵ４０は、メインダイヤル９８が静止画撮影モードにセットされているかどうか判断する（ステップＳ１０２）。静止画撮影モードにセットされている場合（ステップＳ１０２でＹｅｓの場合）は、静止画撮影モードへ移行し（ステップＳ１１２）、このモードの所定の動作を行う。静止画撮影モードにセットされていない場合（ステップＳ１０２でＮｏの場合）は、ステップＳ１０３へ移行する。
【００３８】
次いで、ＣＰＵ４０は、動画撮影モードにセットされているかどうか判断する（ステップＳ１０３）。動画撮影モードにセットされている場合（ステップＳ１０３でＹｅｓの場合）は、動画撮影モードへ移行し（ステップＳ１１３）、このモードの所定の動作を行う。動画撮影モードにセットされていない場合（ステップＳ１０３でＮｏの場合）は、ステップＳ１０４へ移行する。
【００３９】
次いで、ＣＰＵ４０は、再生モードにセットされているかどうか判断する（ステップＳ１０４）。再生モードにセットされている場合（ステップＳ１０４でＹｅｓの場合）は、再生モードへ移行し（ステップＳ１１４）、このモードの所定の動作を行う。再生モードにセットされていない場合（ステップＳ１０４でＮｏの場合）は、セットアップモードに移行し（ステップＳ１０５）、このモードにおいてインターバル撮影モードを含む種々の設定を行えるようになっている。
【００４０】
なお、本例では、メインダイヤル９８で、静止画撮影モード、動画撮影モード、再生モード、セットアップモードの４種を設定する例で説明したが、モードの種類及び判断順序は、これに限るものでない。また、メインダイヤルでの設定でなく選択メニューを画像表示部に表示させ、これから選択するようなカメラであってもよい。
【００４１】
更に、インターバル撮影モードについて、以下に、より詳しく説明する。図４は、本実施の形態に係る電子カメラのインターバル撮影モードの動作概略を示すフローチャートである。以下、同図に示すフローに従い説明する。なお、以降、断りのない限り、ＣＰＵ４０の動作は、そのメインＣＰＵが行うものとする。又、「合焦モード」とは、被写体距離を測距することによりフォーカシングレンズを合焦駆動させて撮影する動作をいい、「固定焦点モード」とは、予め決められた合焦位置で撮影する動作をいう。
【００４２】
図４のステップＳ２０１に示すように、撮影者は、セットアップモードでインターバル撮影モードの条件設定を行うことができる。ここで、設定できる条件は、撮影の回数、撮影枚数、撮影開始タイミングである。
【００４３】
撮影者が、選択釦９６とセット釦９７を用いて、所望する撮影の回数、撮影枚数、撮影開始タイミングの入力を行うと、ステップＳ２０２で、ＣＰＵ４０は、デフォルトとして合焦モード（第１の撮影動作）を選択する。なお、撮影者が特定の操作を行うことで、固定焦点モードを選択するようにしても良い。
【００４４】
更に、ステップＳ２０３で、撮影者がレリーズ釦８３を１段押し込んだと判断すれば、ＣＰＵ４０は、ステップＳ２０５で、前述した露光条件の決定と測距を行って、被写体に対してピントが合う位置にレンズ部１を移動させる。かかる状態でレリーズ釦８３の２段押し下げを待つ（ステップＳ２０６）。レリーズ釦８３の２段押し下げが行われなければ、ＣＰＵ４０は、ステップＳ２０７で、レリーズ釦８３の１段押し下げが続行されているか否か判断し、続行されていると判断すれば、ステップＳ２０６に戻ってレリーズ釦８３の２段押し下げを待つ。これに対し、レリーズ釦８３の１段押し下げが続行されていないと判断すれば、ＣＰＵ４０は、ステップＳ２０４へとフローを進める。この場合、合焦モードの選択は維持される。
【００４５】
これに対し、ステップＳ２０６にて、レリーズ釦８３の２段押し下げが行われたと判断した場合、ＣＰＵ４０は、ステップＳ２０８で撮影を行い、ステップＳ２０９でフォーカス位置を決定し、更にステップＳ２１０で、合焦モードに代えて、予め決定された合焦位置で撮影を行う固定焦点モード（第２の撮影動作）を選択する。なお、本実施例の場合、この合焦位置は、ステップＳ２０５の測距で決定されたレンズ位置を用いているが、特定の被写体距離（例えば３ｍ）に、ピントが合う位置としてもよい。また、この位置は、少なくとも（図示しない）メモリなどに記憶され、以降インターバル撮影を行う際に、読み出されるようになっている。
【００４６】
又、ＣＰＵ４０は、ステップＳ２１１では、撮影により得られた画像データをメモリカードに記憶し、フローをステップＳ２０４へと進める。かかる撮影により取得されたここでは合焦位置は、ＣＰＵ４０の不揮発性内部メモリに記憶され、以下の固定焦点モードによるインターバル撮影で用いられる。
【００４７】
ステップＳ２０４では、ＣＰＵ４０は、メインスイッチ８２がオフ操作されたか否かを判断する。オフ操作されなければ、ＣＰＵ４０は、フローをステップＳ２０３へと戻し、それから始まる動作を実行させるので、適宜被写体に対してピントが合う位置にレンズ部１の位置を変更することも可能となる。一方、メインスイッチ８２がオフ操作されたと判断した場合、ＣＰＵ４０は、ステップＳ２１２で、スリープモードを設定し、メインＣＰＵへの電力供給を停止する。このとき、サブＣＰＵのみが動作している。
【００４８】
ステップＳ２１３で、撮影者がメインスイッチ８２を操作しない限り、サブＣＰＵは以下の動作を繰り返す。即ち、ステップＳ２１４で、時計回路２５からの信号を入力して、撮影すべき所定の時刻になるまではステップＳ２１３に戻ってスリープ状態を続行し、撮影すべき所定の時刻になったと判断した場合のみ、メインＣＰＵを起動させてステップＳ２１５へ進む。更に、起動したメインＣＰＵは、選択された撮影動作が合焦モードであれば、ステップＳ２１６で、測距を行うことで被写体に対してピントが合う位置に、レンズ部１を移動させ、あるいは、選択された撮影動作が固定焦点モードであれば、測距を行わず予め決定された合焦位置で、続くステップＳ２１７で撮影を行い、ステップＳ２１８で、撮影により得られた画像データをメモリカードに記憶する。その後、フローはステップＳ２１２に戻り、再度スリープモードに入るが、ステップＳ２１３で撮影者がメインスイッチ８２を操作すれば、ＣＰＵ４０は、いつでもインターバル撮影モードを終了することができる。
【００４９】
本実施の形態においては、インターバル撮影モードの終了は、スリープモード中における撮影者のメインスイッチ８２の操作に応じて行われるようになっているが、予め撮影回数が決定されている場合において、決定された撮影回数分、撮影が行われたことをＣＰＵ４０が検出したときは、直ちにインターバル撮影モードを終了しても良い。
【００５０】
本実施の形態によれば、例えば檻の中の動物のように動き回る被写体を所定時間間隔で自動的に撮影するような場合、合焦位置はその都度更新することが望ましいため、インターバル撮影モードにおいて合焦モードを選択し、一方、植物のように静止した被写体を所定時間間隔で自動的に撮影するような場合、合焦位置は固定することが望ましいため、インターバル撮影モードにおいて固定焦点モードを選択すれば、省エネを図りつつも、いずれの被写体に対しても適切に撮影を行うことができる。なお、いずれのモードにおいても、撮影の環境条件や、撮影時刻などにより、毎回露出条件を変えたり、ホワイトバランスを行ったりするようにしてもよいし、露出条件やホワイトバランスは固定のままで、インターバル撮影を行ってもよいことは、言うまでもない。
【００５１】
以上、本発明を実施の形態を参照して説明してきたが、本発明は上記実施の形態に限定して解釈されるべきではなく、適宜変更・改良が可能であることはもちろんである。例えば、電子機器とは、電子カメラに限らず、カメラ付き携帯電話、ＰＤＡ（Personal Digital(Data) Assistants）などの他、銀塩カメラも含む。 
【図面の簡単な説明】
【００５２】
【図１】図１は、本発明に係る撮影装置の一例である電子カメラを示す外観図である。
【図２】本実施の形態に係る電子カメラの内部構成の一例を示す概略ブロック図である。
【図３】本実施の形態に係る電子カメラで使用される各モードへの移行動作を示すフローチャートである。
【図４】本実施の形態に係る電子カメラのインターバル撮影モードの動作概略を示すフローチャートである。
【符号の説明】
【００５３】
１ レンズ部
２ シャッターユニット
３ 光学フィルタ
４ 第１モータ
５ 第２モータ
６ シャッタアクチュエータ
７ 第１モータ駆動回路
８ 第２モータ駆動回路
９ シャッタ駆動回路
１０ タイミングジェネレータ
１１ タイミング制御回路
１３ 撮像回路
１４ 信号処理部
１５ 変換部
１６ バッファメモリ
２１ フラッシュ制御回路
２３ フラッシュ反射光受光用センサ
２４ 受光回路
２５ 時計回路
２６ 電池
２７ 給電回路
２８ 入力端子
２９ アダプタ
３０ 操作スイッチ群
３２ インターフェイス
４０ ＣＰＵ
４９ 圧縮伸張回路
５０ 画像記録用メモリカード
８１ 撮像レンズ
８２ メインスイッチ
８３ レリーズ釦
８４ フラッシュ発光部
９５ メニュー釦
９６ 選択釦
９７ セット釦
９８ メインダイヤル
１００ 画像表示部
【図１】
2006332746.tif 000003
【図２】
2006332746.tif 000004
【図３】
2006332746.tif 000005
【図４】
2006332746.tif 000006